(57)【要約】  【課題】  ヘッドライト（前照灯）の光軸方向を調整するスイブル制御システムで、あらゆる年令の運転者に対して違和感のない動作特性を得ること。  【解決手段】  操舵角センサ１８による車両のステアリングホイール１７の操舵角、左車輪速センサ１６Ｌ及び右車輪速センサ１６Ｒによる車速をパラメータとすると共に、運転者情報入力装置１４から自動的に入力された運転者の視機能の代用である「年令」に関わる物理量として「スイブル反応時間」、「スイブル角速度」、「スイブル変動値」が加味され算出された制御量に基づき、各アクチュエータ１１Ｌ，１１Ｒが駆動され左右のヘッドライト１０Ｌ，１０Ｒの光軸方向が水平方向に平行な左右方向にスイブルされ調整される。このような制御量によれば、運転者に対して一律なスイブル制御ではなく、個々の運転者に適合したスイブル制御を達成することができる。  【選択図】図１
2005280681.tif 000002
【特許請求の範囲】
【請求項１】
車両のステアリングホイールの操舵角を検出する操舵角検出手段と、
前記車両の車速を検出する車速検出手段と、
運転者の視機能を自動または手動にて入力する視機能入力手段と、
前記操舵角検出手段による操舵角及び前記車速検出手段による車速に、前記視機能入力手段による視機能に関わる物理量を加味して前記車両の前照灯の光軸方向を調整するための制御量を算出する制御量演算手段と、
前記制御量演算手段で算出された制御量に基づき前記前照灯の光軸方向を水平方向に平行な左右方向にスイブル（Ｓｗｉｖｅｌ：旋回）させ調整するスイブル制御手段と
を具備することを特徴とする車両用前照灯光軸方向自動調整装置。
【請求項２】
前記視機能は、眼球光学系における水晶体の光学濃度、透過率、焦点調節速度、瞳孔径のうち少なくとも１つの特性にて設定することを特徴とする請求項１に記載の車両用前照灯光軸方向自動調整装置。
【請求項３】
前記視機能の特性は、運転者の年令を代用して設定することを特徴とする請求項２に記載の車両用前照灯光軸方向自動調整装置。
【請求項４】
前記物理量は、前記ステアリングホイールの操舵開始ののち実際に前記前照灯の光軸方向の調整が開始されるまでの時間であるスイブル反応時間、前記ステアリングホイールの操舵に基づく前記前照灯の変位速度であるスイブル角速度、スイブル制御中における前記前照灯のふらつきであるスイブル変動値であることを特徴とする請求項１乃至請求項３の何れか１つに記載の車両用前照灯光軸方向自動調整装置。
【発明の詳細な説明】
【技術分野】
【０００１】
本発明は、車両に配設される前照灯による左右前方照射の光軸方向や照射範囲をステアリングホイールの操舵等に応じて自動的に調整する車両用前照灯光軸方向自動調整装置に関するものである。
【背景技術】
【０００２】
従来、車両用前照灯光軸方向自動調整装置に関連する先行技術文献としては、特開２００２−２３４３８３号公報にて開示されたものが知られている。このものでは、車両のステアリングホイールの操舵角や車速等の運転パラメータに応じて前照灯（ヘッドランプ）の光軸方向を左右方向にスイブルさせ調整する技術が示されている。
【０００３】
このような従来制御は、操舵角や車速等による物理的状況を考慮するものであり、運転者の個人差が考慮されていないため、運転者によっては不満を感じるという不具合があった。
【０００４】
これに関連する先行技術文献として、特開平１１−２７３４２０号公報、特許第３３３２４９２号公報に開示されているように、一般に、人間は年令が高くなるほど、視力が低下し、グレアを感じ易くなり、明暗順応への反応時間が遅くなる等、視機能の低下がみられる。この視機能を計量化するものとして、眼球光学系における水晶体の光学濃度、透過率、焦点調節速度、瞳孔径があり、それぞれ年令と共に変化することが知られている。
【特許文献１】特開２００２−２３４３８３号公報（第２頁）
【特許文献２】特開平１１−２７３４２０号公報（第４頁）
【特許文献３】特許第３３３２４９２号公報（第２頁、第４頁〜第５頁）
【発明の開示】
【発明が解決しようとする課題】
【０００５】
前述したように、操舵角や車速等に基づく一律なスイブル制御では、あらゆる年令の運転者に適合させることは無理であった。そこで、運転者によっては不満を感じつつも我慢するしかないため、運転者の個人差に見合ったスイブル制御が望まれていた。
【０００６】
そこで、この発明はかかる不具合を解決するためになされたもので、前照灯の光軸方向の調整に際して、あらゆる年令の運転者に対して違和感のない動作特性を得ることが可能な車両用前照灯光軸方向自動調整装置の提供を課題としている。
【課題を解決するための手段】
【０００７】
請求項１の車両用前照灯光軸方向自動調整装置によれば、操舵角検出手段により検出された車両のステアリングホイールの操舵角及び車速検出手段により検出された車速に、視機能入力手段により自動または手動にて入力された視機能に関わる物理量が加味され、制御量演算手段で算出された制御量に基づき、スイブル制御手段で前照灯の光軸方向が水平方向に平行な左右方向にスイブルされ調整される。このように、操舵角及び車速に加え、運転者の視機能に関わる物理量が考慮された制御量によれば、運転者に対して一律なスイブル制御ではなく、個々の運転者に適合したスイブル制御が達成される。
【０００８】
請求項２の車両用前照灯光軸方向自動調整装置では、視機能が眼球光学系における水晶体の光学濃度、透過率、焦点調節速度、瞳孔径のうち少なくとも１つの特性にて設定されることで、個々の運転者に対応して前照灯の光軸方向を調整するための適切な制御量が算出される。
【０００９】
請求項３の車両用前照灯光軸方向自動調整装置では、視機能の特性が運転者の年令を代用して設定されることで、個々の運転者に対応して前照灯の光軸方向を調整するスイブル制御システムが比較的簡単に構築できる。
【００１０】
請求項４の車両用前照灯光軸方向自動調整装置では、視機能に関わる物理量としてスイブル反応時間、スイブル角速度、スイブル変動量がそれぞれ考慮される。このため、前照灯の光軸方向の調整に際して、個々の運転者に応じた適切な制御量が得られ、違和感のない動作特性が得られる。
【発明を実施するための最良の形態】
【００１１】
以下、本発明を実施するための最良の形態を実施例に基づいて説明する。
【００１２】
図１は本発明の一実施例にかかる車両用前照灯光軸方向自動調整装置の全体構成を示す概略図である。
【００１３】
図１において、車両の前面には前照灯として左右のヘッドライト１０Ｌ，１０Ｒが配設されている。これらヘッドライト１０Ｌ，１０Ｒには光軸方向を調整するための各アクチュエータ１１Ｌ，１１Ｒが接続されている。２０はＥＣＵ（Ｅｌｅｃｔｒｏｎｉｃ  Ｃｏｎｔｒｏｌ  Ｕｎｉｔ：電子制御ユニット）であり、ＥＣＵ２０は周知の各種演算処理を実行する中央処理装置としてのＣＰＵ２１、制御プログラムや制御マップ等を格納したＲＯＭ２２、各種データを格納するＲＡＭ２３、Ｂ／Ｕ（バックアップ）ＲＡＭ２４、入出力回路２５及びそれらを接続するバスライン２６等からなる論理演算回路として構成されている。
【００１４】
ＥＣＵ２０には、運転者の視機能を代用する運転者情報として「年令」等の個人属性が予め記憶されているＩＣキーから自動的に読込む運転者情報入力装置１４からの出力信号、車両に搭載された周知のナビゲーション・システム１５からの出力信号、車両の左車輪の左車輪速ＶL を検出する左車輪速センサ１６Ｌからの出力信号、車両の右車輪の右車輪速ＶR を検出する右車輪速センサ１６Ｒからの出力信号、運転者によるステアリングホイール１７の操舵角ＳＴＡを検出する操舵角センサ１８からの出力信号、その他の各種センサ信号が入力されている。そして、ＥＣＵ２０からの出力信号が車両の左右のヘッドライト１０Ｌ，１０Ｒの各アクチュエータ１１Ｌ，１１Ｒに入力され、左右のヘッドライト１０Ｌ，１０Ｒの光軸方向が調整される。
【００１５】
なお、本実施例の構成においては、図２に示すように、左右のヘッドライト１０Ｌ，１０Ｒの配光領域（ロービーム）が、ステアリングホイール１７の中立位置から左方向または右方向への操舵に応じて初期位置から左方向または右方向へスイブル制御範囲内にて調整される。このスイブル制御範囲は、運転者の前方視認性を損なうことなく、運転者のステアリングホイール１７の操舵等に伴う左方向または右方向の視認性が考慮される。
【００１６】
このため、車両のステアリングホイール１７の操舵による左旋回では、ヘッドライト１０Ｌの配光領域に対する左方向のヘッドライト１０Ｌのスイブル制御範囲の方が、ヘッドライト１０Ｒの配光領域に対する右方向のヘッドライト１０Ｒのスイブル制御範囲より広くされている。逆に、車両のステアリングホイール１７の操舵による右旋回では、ヘッドライト１０Ｒの配光領域に対する右方向のヘッドライト１０Ｒのスイブル制御範囲の方が、ヘッドライト１０Ｌの配光領域に対する左方向のヘッドライト１０Ｌのスイブル制御範囲より広くされている。
【００１７】
次に、本実施例にかかる車両用前照灯光軸方向自動調整装置によるスイブル制御について、図３乃至図９を参照して説明する。
【００１８】
前述したように、運転者（人間）は年令が高くなるほど、視力が低下し、グレアを感じ易くなり、明暗順応への反応時間が遅くなる等、視機能の低下がみられる。この視機能を計量化するものとして、眼球光学系における水晶体の光学濃度、透過率、焦点調節速度、瞳孔径等がある。しかしながら、眼球光学系における水晶体の光学濃度、透過率、焦点調節速度、瞳孔径等は計測することが容易ではない。このため、本実施例においては、運転者の視機能の代用となるものを求めることとした。
【００１９】
発明者による実験・研究では、上述のスイブル制御システムを前提とし、まず、複数の運転者に対して、周知のイメージを計数化評価して情報を得る手法であるＳＤ(Ｓｅｍａｎｔｉｃ  Ｄｉｆｆｅｒｅｎｔｉａｌ  Ｓｃａｌｅ）法を用いたアンケート調査を実施した。この調査結果を主成分分析することにより、図３に示すように、累積寄与率を７３．０〔％〕とする因子負荷量が得られた。これにより、運転者は、「明るさ・配光」、「応答性（反応・ふらつき）」の２要因によってスイブル制御システムの良否を判断していることが分かった。
【００２０】
また、周知の散布図を描きゾーン毎に方向性を検討する手法であるＣＳポートフォリオ(Ｃｕｓｔｏｍｅｒ  Ｓａｔｉｓｆａｃｔｉｏｎ  Ｐｏｒｔｆｏｌｉｏ）分析に基づく、図４に示すような満足度評価の結果から、スイブル制御システムで運転者に対して大きな影響を与える官能値として「スイブル反応」、「スイブル速度」、「スイブルふらつき」の存在が明らかとなった。
【００２１】
この結果を踏まえ、重回帰分析を用いた要因分析を実施して影響度の高い要因を抽出した。すると、「スイブル反応」には、物理量としてステアリングホイール１７の操舵開始ののち実際に、左右のヘッドライト１０Ｌ，１０Ｒの光軸方向の調整が開始されるまでの時間である「スイブル反応時間〔ｓｅｃ〕」（図５参照）と「年令〔才〕」とが影響を及ぼしていることが分かった。
【００２２】
また、「スイブル速度」には、物理量としてステアリングホイール１７の操舵角ＳＴＡに基づく各アクチュエータ１１Ｌ，１１Ｒによる左右のヘッドライト１０Ｌ，１０Ｒの変位速度である「スイブル角速度〔ｄｅｇ／ｓ〕」（図５参照）と「年令〔才〕」とが影響を及ぼしていることが分かった。
【００２３】
そして、「スイブルふらつき」には、物理量としてスイブル制御中における左右のヘッドライト１０Ｌ，１０Ｒのふらつきである「スイブル変動値」と「年令〔才〕」とが影響を及ぼしていることが分かった。ここで、スイブル変動値（ｈ）は、理想のスイブル制御におけるスイブル制御角（図６に示す太い実線）と実際のスイブル制御角（図６に示す細い実線）との所定タイミング毎の偏差をスイブル変動（ｄ）、実際のスイブル制御角のうち最大のものを最大スイブル制御角（θ）と定義すると、次式（１）にて表される。なお、理想のスイブル制御のとき、スイブル変動値（ｈ）＝１となる。
【００２４】
（数１）
スイブル変動値（ｈ）＝総スイブル変動（Σｄ）／最大スイブル制御角（θ）／２
・・・（１）
【００２５】
そこで、官能値と各物理量との関係を明確にするため判別分析による定量化を実施した。図７は、アンケート調査における複数の運転者に対する「スイブル反応時間〔ｓｅｃ〕」と「年令〔才〕」との関係を示す特性図、図８は図７に示す各運転者が具体的に、不満（「×印」記号にて記す）と感じているか、満足を含めてそれ以外（「○印」記号にて記す）と感じているかを表す説明図である。
【００２６】
この結果、「スイブル反応時間」と「年令」とにおいては、「年令」が低くなるほど「スイブル反応時間」が遅いと不満を感じ易くなるという傾向があり、判別分析における判別率を７５〔％〕とするときのＺ値が次式（２）のように得られた。
【００２７】
（数２）
Ｚ＝−０．１３０×（「年令」）＋２．８９０×（「スイブル反応時間」）
＋０．６５０                                                ・・・（２）
【００２８】
即ち、「スイブル反応時間」と「年令」との関係におけるＺ値は、図８に示すような右上がり傾向の直線となる。ここで、図８に斜線にて示すＺ＞０の領域は、「スイブル反応時間」が遅いことで不満と感じ易くなる不満領域である。なお、あらゆる年令の運転者に対して「スイブル反応時間」における満足度を高めるには、図８に示すＺ値を表す直線を、所定割合だけ不満領域と反対側に平行移動した直線を想定し、それら２直線で囲まれた領域内における「スイブル反応時間」と「年令」との関係を採用すればよい。
【００２９】
また、図９は、アンケート調査における複数の運転者に対する「スイブル角速度〔ｄｅｇ／ｓ〕」と「年令〔才〕」との関係を示す特性図、図１０は図９に示す各運転者が具体的に、不満（「×印」記号にて記す）と感じているか、満足を含めてそれ以外（「○印」記号にて記す）と感じているかを表す説明図である。
【００３０】
この結果、「スイブル角速度」と「年令」とにおいては、「年令」が高くなるほど「スイブル角速度」が速いと不満を感じ易くなるという傾向があり、判別分析における判別率を７３〔％〕とするときのＺ値が次式（３）のように得られた。
【００３１】
（数３）
Ｚ＝−０．０７７×（「年令」）−０．１１９×（「スイブル角速度」）
＋５．６７４                                                ・・・（３）
【００３２】
即ち、「スイブル角速度」と「年令」との関係におけるＺ値は、図１０に示すような右下がり傾向の直線となる。ここで、図１０に斜線にて示すＺ＜０の領域は、「スイブル角速度」が速いことで不満と感じ易くなる不満領域である。なお、あらゆる年令の運転者に対して「スイブル角速度」における満足度を高めるには、図１０に示すＺ値を表す直線を、所定割合だけ不満領域と反対側に平行移動した直線を想定し、それら２直線で囲まれた領域内における「スイブル角速度」と「年令」との関係を採用すればよい。
【００３３】
そして、図１１は、アンケート調査における複数の運転者に対する「スイブル変動値」と「年令〔才〕」との関係を示す特性図、図１２は図１１に示す各運転者が具体的に、不満（「×印」記号にて記す）と感じているか、満足を含めてそれ以外（「○印」記号にて記す）と感じているかを表す説明図である。
【００３４】
この結果、「スイブル変動値」と「年令」とにおいては、「年令」が高くなるほど「スイブル変動値」が大きいと不満を感じ易くなるという傾向があり、判別分析における判別率を７３〔％〕とするときのＺ値が次式（４）のように得られた。
【００３５】
（数４）
Ｚ＝−０．１６１×（「年令」）−５．５６０×（「スイブル変動値」）
＋１４．９２８                                              ・・・（４）
【００３６】
即ち、「スイブル変動値」と「年令」との関係におけるＺ値は、図１２に示すような右下がり傾向の直線となる。ここで、図１２に斜線にて示すＺ＜０の領域は、「スイブル変動値」が大きいことで不満と感じ易くなる不満領域である。なお、あらゆる年令の運転者に対して「スイブル変動値」における満足度を高めるには、図１２に示すＺ値を表す直線を、所定割合だけ不満領域と反対側に平行移動した直線を想定し、それら２直線で囲まれた領域内における「スイブル変動値」と「年令」との関係を採用すればよい。
【００３７】
結論として、運転者の「年令」が高いほど、「スイブル反応時間」を遅く、「スイブル角速度」を遅く、「スイブル変動値」を小さくするとよいことが明らかとなった。これにより、本実施例のスイブル制御システムでは、運転者情報入力装置１４にて自動的に読込まれた運転者情報としての「年令」に応じた「スイブル反応時間」、「スイブル角速度」、「スイブル変動値」に基づき算出されたスイブル制御角ＳＷＣにより各アクチュエータ１１Ｌ，１１Ｒを駆動し、左右のヘッドライト１０Ｌ，１０Ｒの光軸方向を調整することで、運転者の「年令」によらず違和感のないスイブル動作特性を得ることができる。
【００３８】
より具体的には、「スイブル反応時間」では、ステアリングホイール１７の操舵開始ののち実際に、左右のヘッドライト１０Ｌ，１０Ｒの光軸方向の調整が開始されるまでの時間を「年令」に応じて調整、「スイブル角速度」では、ステアリングホイール１７の操舵角ＳＴＡに基づく各アクチュエータ１１Ｌ，１１Ｒによる左右のヘッドライト１０Ｌ，１０Ｒの変位速度を「年令」に応じて調整、「スイブル変動値」では、スイブル制御中における左右のヘッドライト１０Ｌ，１０Ｒのふらつきを「年令」に応じたフィルタ処理等によって抑制することで、あらゆる年令の運転者に適合させ、不満を感じさせないスイブル制御を達成することができる。
【００３９】
このように、本実施例の車両用前照灯光軸方向自動調整装置は、車両のステアリングホイール１７の操舵角ＳＴＡを検出する操舵角検出手段としての操舵角センサ１８と、車両の車速ＳＰＤを検出する車速検出手段としての左車輪速センサ１６Ｌ及び右車輪速センサ１６Ｒと、運転者の視機能を自動にて入力する視機能入力手段としての運転者情報入力装置１４と、操舵角センサ１８による操舵角ＳＴＡ及び左車輪速センサ１６Ｌ及び右車輪速センサ１６Ｒによる車速ＳＰＤに、運転者情報入力装置１４による視機能に関わる物理量を加味して車両の左右のヘッドライト（前照灯）１０Ｌ，１０Ｒの光軸方向を調整するための制御量であるスイブル制御角ＳＷＣを算出するＥＣＵ２０にて達成される制御量演算手段と、前記制御量演算手段で算出されたスイブル制御角ＳＷＣに基づき左右のヘッドライト１０Ｌ，１０Ｒの光軸方向を水平方向に平行な左右方向にスイブルさせ調整するＥＣＵ２０にて達成されるスイブル制御手段とを具備するものである。
【００４０】
つまり、操舵角センサ１８からの出力信号に基づき検出された車両のステアリングホイール１７の操舵角ＳＴＡ、左車輪速センサ１６Ｌ及び右車輪速センサ１６Ｒからの出力信号に基づき検出された車速ＳＰＤをパラメータとすると共に、運転者情報入力装置１４から自動的に入力された運転者の視機能に関わる物理量が加味され算出されたスイブル制御角ＳＷＣに基づき、各アクチュエータ１１Ｌ，１１Ｒが駆動され左右のヘッドライト１０Ｌ，１０Ｒの光軸方向が水平方向に平行な左右方向にスイブルされ調整される。このような、操舵角ＳＴＡ及び車速ＳＰＤに、運転者の視機能に関わる物理量が加味されたスイブル制御角ＳＷＣによれば、運転者に対して一律なスイブル制御ではなく、個々の運転者に適合したスイブル制御を達成することができる。
【００４１】
また、本実施例の車両用前照灯光軸方向自動調整装置は、視機能を眼球光学系における水晶体の光学濃度、透過率、焦点調節速度、瞳孔径のうち少なくとも１つの特性にて設定するものであり、この視機能の特性は、運転者の「年令」を代用して設定するものである。
【００４２】
つまり、視機能が眼球光学系における水晶体の光学濃度、透過率、焦点調節速度、瞳孔径のうち少なくとも１つの特性にて設定され、この視機能の特性が運転者の「年令」を代用して設定される。このため、個々の運転者に対応したスイブル制御するための適切なスイブル制御角ＳＷＣを算出することができ、視機能の特性を「年令」にて代用して設定することで、スイブル制御システムを比較的簡単に構築することができる。
【００４３】
更に、本実施例の車両用前照灯光軸方向自動調整装置は、物理量をステアリングホイール１７の操舵開始ののち実際に左右のヘッドライト１０Ｌ，１０Ｒの光軸方向の調整が開始されるまでの時間である「スイブル反応時間」、ステアリングホイール１７の操舵に基づく左右のヘッドライト１０Ｌ，１０Ｒの変位速度である「スイブル角速度」、スイブル制御中における左右のヘッドライト１０Ｌ，１０Ｒのふらつきである「スイブル変動値」とするものである。
【００４４】
つまり、視機能に関わる物理量として、「年令」に応じた「スイブル反応時間」、「スイブル角速度」、「スイブル変動値」がそれぞれ考慮される。このため、左右のヘッドライト１０Ｌ，１０Ｒの光軸方向の調整に際して、個々の運転者に応じた適切なスイブル制御角ＳＷＣが得られることとなり、運転者に対して違和感のない動作特性を得ることができる。
【００４５】
ところで、上記実施例では、運転者の視機能の特性を「年令」を代用して設定するため、運転者の「年令」等の運転者情報を自動的に読込む運転者情報入力装置１４を備え、ＩＣキーを介して読込まれた「年令」等の運転者情報に基づきスイブル制御ロジックや定数を変更するスイブル制御システムについて説明したが、本発明を実施する場合には、これに限定されるものではなく、運転者情報として「年令」等の個人属性が予め記憶されているＩＣカードを車両に備えられたカードリーダを用いて読込ませたり、ＩＣカードの情報を電波を介して車両に備えられた受信機器にて受信して読込ませることで所望のスイブル制御システムを実現することもできる。また、ナビゲーション・システム１５を介して運転者の視機能を代用する「年令」等の運転者情報を手動にて入力するものであっても同様に、個々の運転者に適合したスイブル制御システムを実現することができる。
【００４６】
そして、上記実施例では、視機能を計量化するものとして、眼球光学系における水晶体の光学濃度、透過率、焦点調節速度、瞳孔径等があるが、計測が容易ではないとして運転者の「年令」を代用してスイブル制御角ＳＷＣを算出するようにしているが、本発明を実施する場合には、これに限定されるものではなく、視機能を直接、計測可能な機構が備えられたスイブル制御システムにあっては、「年令」を代用することなく、個々の運転者のそのときの視機能に見合った違和感のない動作特性を得ることができる。
【００４７】
更に、運転者の視機能を計量化するものとして、運転者の運転特性を測定可能な測定機器を車両に備えたものでは、この測定機器によって得られた情報を加味して車両のヘッドライト１０Ｌ，１０Ｒの光軸方向を調整するための制御量を算出することで、運転者の視機能に応じたスイブル制御システムを構築することもできる。このような測定機器として、上記実施例の車両に備えられているものとしては、操舵角センサ１８や左車輪速センサ１６Ｌ及び右車輪速センサ１６Ｒ等が挙げられる。ここで、例えば、運転者のステアリングホイール１７のふらつき特性を、操舵角センサ１８からの出力信号の変動を測定することによって知ることができる。また、車両の蛇行の程度を、車両の左／右車輪の速度差として左車輪速センサ１６Ｌと右車輪速センサ１６Ｒとによる車輪速差の変動を測定することによって知ることもできる。また、測定機器として、ヨーレイト(Ｙａｗ  Ｒａｔｅ：ヨー角速度）センサや横方向Ｇ（Ｇｒａｖｉｔｙ：重力）センサ等を車両に備えたものにおいては、それらの出力信号の変動を測定することによって同様に、車両の蛇行の程度を知ることができる。
【図面の簡単な説明】
【００４８】
【図１】図１は本発明の一実施例にかかる車両用前照灯光軸方向自動調整装置の全体構成を示す概略図である。
【図２】図２は本発明の一実施例にかかる車両用前照灯光軸方向自動調整装置におけるヘッドライトの配光領域を示す説明図である。
【図３】図３は本発明の一実施例にかかる車両用前照灯光軸方向自動調整装置におけるＳＤ法による主成分分析における結果を示す説明図である。
【図４】図４は本発明の一実施例にかかる車両用前照灯光軸方向自動調整装置におけるＣＳポートフォリオ分析に基づく満足度評価の結果を示す説明図である。
【図５】図５は本発明の一実施例にかかる車両用前照灯光軸方向自動調整装置における「スイブル反応時間」及び「スイブル角速度」を説明するためのタイムチャートである。
【図６】図６は本発明の一実施例にかかる車両用前照灯光軸方向自動調整装置における「スイブル変動値」を説明するためのタイムチャートである。
【図７】図７は本発明の一実施例にかかる車両用前照灯光軸方向自動調整装置における「スイブル反応時間」と「年令」との関係を示す特性図である。
【図８】図８は図７に示す各運転者が不満、またはそれ以外と感じているかを表す説明図である。
【図９】図９は本発明の一実施例にかかる車両用前照灯光軸方向自動調整装置における「スイブル角速度」と「年令」との関係を示す特性図である。
【図１０】図１０は図９に示す各運転者が不満、またはそれ以外と感じているかを表す説明図である。
【図１１】図１１は本発明の一実施例にかかる車両用前照灯光軸方向自動調整装置における「スイブル変動値」と「年令」との関係を示す特性図である。
【図１２】図１２は図１１に示す各運転者が不満、またはそれ以外と感じているかを表す説明図である。
【符号の説明】
【００４９】
１０Ｌ，１０Ｒ  ヘッドライト（前照灯）
１１Ｌ，１１Ｒ  アクチュエータ
１４            運転者情報入力装置
１５            ナビゲーション・システム
１６Ｌ          左車輪速センサ
１６Ｒ          右車輪速センサ
１７            ステアリングホイール
１８            操舵角センサ
２０            ＥＣＵ（電子制御ユニット）
【図１】
2005280681.tif 000003
【図２】
2005280681.tif 000004
【図３】
2005280681.tif 000005
【図４】
2005280681.tif 000006
【図５】
2005280681.tif 000007
【図６】
2005280681.tif 000008
【図７】
2005280681.tif 000009
【図８】
2005280681.tif 000010
【図９】
2005280681.tif 000011
【図１０】
2005280681.tif 000012
【図１１】
2005280681.tif 000013
【図１２】
2005280681.tif 000014